【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
ユーザによって手書きをされる領域であって、Ｗｅｂサーバ装置上のＷｅｂページの表示における空白領域の配置位置情報と、前記Ｗｅｂページに表示されるＷｅｂコンテンツのＵＲＬ情報と、が印刷された紙媒体の画像情報を入力する画像入力手段、
前記画像入力手段で入力された画像情報から前記空白領域の配置位置情報と前記ＷｅｂコンテンツのＵＲＬ情報とを検出する情報検出手段、
前記情報検出手段で検出した空白領域の手書き画像情報を領域分割する画像領域分割手段、
及び、前記画像領域分割手段で領域分割した手書き画像情報を前記情報検出手段で検出したＷｅｂコンテンツのＵＲＬ情報先にあるＷｅｂサーバへ送信する送信手段、
を有する画像入力装置と、
前記画像入力装置から送信された画像情報を受信する受信手段、
及び、前記受信手段で受信した画像情報を前記Ｗｅｂページの表示における空白領域へ表示するように関連付けて登録する画像情報登録手段、
を有するＷｅｂサーバ装置と、
を備えることを特徴とする画像処理システム。
【請求項２】
前記Ｗｅｂサーバ装置から送信される前記空白領域情報を検出する空白領域検出手段と、
前記空白領域以外の前記Ｗｅｂページを形成するＷｅｂコンテンツの領域を検出するＷｅｂコンテンツ領域検出手段と、
前記空白領域検出手段と前記Ｗｅｂコンテンツ領域検出手段とで検出された各領域に含まれる画像情報の配置位置を変更する配置位置変更手段と、
前記配置位置変更手段で変更された空白領域の配置位置を検出して、前記配置位置変更手段で変更された画像情報と共に前記空白領域の配置位置情報と前記ＷｅｂコンテンツのＵＲＬ情報とを印刷する印刷手段と、
を有する画像印刷装置と、を備え、
前記紙媒体は前記画像印刷装置によって印刷されることを特徴とする請求項１に記載の画像処理システム。
【請求項３】
請求項２に記載の画像処理システムにおいて、前記配置位置変更手段は、ユーザが手書きするための空白領域を複数ページに渡って分割して印刷されないように空白領域のサイズ・配置位置を変更することを特徴とする画像処理システム。
【請求項４】
請求項１から３の何れか一項に記載の画像処理システムにおいて、前記Ｗｅｂサーバ装置は、ユーザ情報を表示するユーザ情報表示手段を有し、前記ユーザ情報表示手段は空白領域にＷｅｂページを印刷したユーザ情報を表示することを特徴とする画像処理システム。
【請求項５】
請求項１から４の何れか一項に記載の画像処理システムにおいて、前記Ｗｅｂサーバ装置は、ユーザ情報を設定するユーザ情報設定手段と、画像情報を登録する期日を設定する期日設定手段と、前記期日設定手段で設定した期日をユーザへ通知する期日通知手段とを有することを特徴とする画像処理システム。
【請求項６】
画像入力装置は、ユーザによって手書きをされる領域であって、Ｗｅｂサーバ装置上のＷｅｂページの表示における空白領域の配置位置情報と、前記Ｗｅｂページに表示されるＷｅｂコンテンツのＵＲＬ情報と、が印刷された紙媒体の画像情報を入力し、
入力された画像情報から前記空白領域の配置位置情報と前記ＷｅｂコンテンツのＵＲＬ情報とを検出し、
検出した空白領域の手書き画像情報を領域分割し、
領域分割した手書き画像情報をＷｅｂコンテンツのＵＲＬ情報先にあるＷｅｂサーバへ送信し、
Ｗｅｂサーバ装置は、送信された画像情報を受信し、
受信した画像情報を前記Ｗｅｂページの表示における空白領域へ表示するように関連付けて登録することを特徴とする画像処理方法。
【請求項７】
画像入力装置のコンピュータに、
画像入力手段が、ユーザによって手書きをされる領域であって、Ｗｅｂサーバ装置上のＷｅｂページの表示における空白領域の配置位置情報と、前記Ｗｅｂページに表示されるＷｅｂコンテンツのＵＲＬ情報と、が印刷された紙媒体の画像情報を入力する手順、
情報検出手段が、前記画像入力手段で入力された画像情報から前記空白領域の配置位置情報と前記ＷｅｂコンテンツのＵＲＬ情報とを検出する手順、
画像領域分割手段が、前記情報検出手段で検出した空白領域の手書き画像情報を領域分割する手順、
及び、送信手段が、前記画像領域分割手段で領域分割した手書き画像情報を前記情報検出手段で検出したＷｅｂコンテンツのＵＲＬ情報先にあるＷｅｂサーバへ送信する手順、
を実行させ、
Ｗｅｂサーバ装置のコンピュータに、
受信手段が、前記画像入力装置から送信された画像情報を受信する手順、
及び、画像情報登録手段が、前記受信手段で受信した画像情報を前記Ｗｅｂページの表示における空白領域へ表示するように関連付けて登録する手順、
を実行させることを特徴とする画像処理システムのプログラム。
【手続補正２】
【補正対象書類名】明細書
【補正対象項目名】発明の名称
【補正方法】変更
【補正の内容】
【発明の名称】画像処理システム、画像処理方法、及びプログラム
【手続補正３】
【補正対象書類名】明細書
【補正対象項目名】０００１
【補正方法】変更
【補正の内容】
【０００１】
本発明は、画像処理システム、画像処理方法、及びプログラムに関する。
【手続補正４】
【補正対象書類名】明細書
【補正対象項目名】００１５
【補正方法】変更
【補正の内容】
【００１５】
以上の問題点を鑑みて、Ｗｅｂページ上に手書き画像を貼り付ける空白領域を簡易に作成でき、印刷時にユーザが手書きしやすいようにレイアウトを変更して印刷する画像印刷機器を提供することが必要である。
そこで、本発明の目的は、手書きした紙面をスキャナ等の画像入力装置で入力するだけで手書きコンテンツをＷｅｂページへ追加して公開することができる画像処理システム、画像処理方法、及びプログラムを提供することにある。
【手続補正５】
【補正対象書類名】明細書
【補正対象項目名】００１６
【補正方法】変更
【補正の内容】
【００１６】
上記課題を解決するために、請求項１記載の発明は、ユーザによって手書きをされる領域であって、Ｗｅｂサーバ装置上のＷｅｂページの表示における空白領域の配置位置情報と、前記Ｗｅｂページに表示されるＷｅｂコンテンツのＵＲＬ情報と、が印刷された紙媒体の画像情報を入力する画像入力手段、前記画像入力手段で入力された画像情報から前記空白領域の配置位置情報と前記ＷｅｂコンテンツのＵＲＬ情報とを検出する情報検出手段、前記情報検出手段で検出した空白領域の手書き画像情報を領域分割する画像領域分割手段、及び、前記画像領域分割手段で領域分割した手書き画像情報を前記情報検出手段で検出したＷｅｂコンテンツのＵＲＬ情報先にあるＷｅｂサーバへ送信する送信手段、を有する画像入力装置と、前記画像入力装置から送信された画像情報を受信する受信手段、及び、前記受信手段で受信した画像情報を前記Ｗｅｂページの表示における空白領域へ表示するように関連付けて登録する画像情報登録手段、を有するＷｅｂサーバ装置と、を備えることを特徴とする。
【手続補正６】
【補正対象書類名】明細書
【補正対象項目名】００１８
【補正方法】変更
【補正の内容】
【００１８】
請求項２記載の発明は、請求項１記載の発明において、前記Ｗｅｂサーバ装置から送信される前記空白領域情報を検出する空白領域検出手段と、前記空白領域以外の前記Ｗｅｂページを形成するＷｅｂコンテンツの領域を検出するＷｅｂコンテンツ領域検出手段と、前記空白領域検出手段と前記Ｗｅｂコンテンツ領域検出手段とで検出された各領域に含まれる画像情報の配置位置を変更する配置位置変更手段と、前記配置位置変更手段で変更された空白領域の配置位置を検出して、前記配置位置変更手段で変更された画像情報と共に前記空白領域の配置位置情報と前記ＷｅｂコンテンツのＵＲＬ情報とを印刷する印刷手段と、を有する画像印刷装置と、を備え、前記紙媒体は前記画像印刷装置によって印刷されることを特徴とする。
【手続補正７】
【補正対象書類名】明細書
【補正対象項目名】００２２
【補正方法】変更
【補正の内容】
【００２２】
請求項４記載の発明は、請求項１から３の何れか一項に記載の発明において、前記Ｗｅｂサーバ装置は、ユーザ情報を表示するユーザ情報表示手段を有し、前記ユーザ情報表示手段は空白領域にＷｅｂページを印刷したユーザ情報を表示することを特徴とする。
【手続補正８】
【補正対象書類名】明細書
【補正対象項目名】００２４
【補正方法】変更
【補正の内容】
【００２４】
請求項５記載の発明は、請求項１から４の何れか一項に記載の発明において、前記Ｗｅｂサーバ装置は、ユーザ情報を設定するユーザ情報設定手段と、画像情報を登録する期日を設定する期日設定手段と、前記期日設定手段で設定した期日をユーザへ通知する期日通知手段とを有することを特徴とする。
【手続補正９】
【補正対象書類名】明細書
【補正対象項目名】００２６
【補正方法】変更
【補正の内容】
【００２６】
請求項６記載の発明は、画像入力装置は、ユーザによって手書きをされる領域であって、Ｗｅｂサーバ装置上のＷｅｂページの表示における空白領域の配置位置情報と、前記Ｗｅｂページに表示されるＷｅｂコンテンツのＵＲＬ情報と、が印刷された紙媒体の画像情報を入力し、入力された画像情報から前記空白領域の配置位置情報と前記ＷｅｂコンテンツのＵＲＬ情報とを検出し、検出した空白領域の手書き画像情報を領域分割し、領域分割した手書き画像情報をＷｅｂコンテンツのＵＲＬ情報先にあるＷｅｂサーバへ送信し、Ｗｅｂサーバ装置は、送信された画像情報を受信し、受信した画像情報を前記Ｗｅｂページの表示における空白領域へ表示するように関連付けて登録することを特徴とする。
【手続補正１０】
【補正対象書類名】明細書
【補正対象項目名】００２８
【補正方法】変更
【補正の内容】
【００２８】
請求項７記載の発明は、画像入力装置のコンピュータに、画像入力手段が、ユーザによって手書きをされる領域であって、Ｗｅｂサーバ装置上のＷｅｂページの表示における空白領域の配置位置情報と、前記Ｗｅｂページに表示されるＷｅｂコンテンツのＵＲＬ情報と、が印刷された紙媒体の画像情報を入力する手順、情報検出手段が、前記画像入力手段で入力された画像情報から前記空白領域の配置位置情報と前記ＷｅｂコンテンツのＵＲＬ情報とを検出する手順、画像領域分割手段が、前記情報検出手段で検出した空白領域の手書き画像情報を領域分割する手順、及び、送信手段が、前記画像領域分割手段で領域分割した手書き画像情報を前記情報検出手段で検出したＷｅｂコンテンツのＵＲＬ情報先にあるＷｅｂサーバへ送信する手順、を実行させ、Ｗｅｂサーバ装置のコンピュータに、受信手段が、前記画像入力装置から送信された画像情報を受信する手順、及び、画像情報登録手段が、前記受信手段で受信した画像情報を前記Ｗｅｂページの表示における空白領域へ表示するように関連付けて登録する手順、を実行させることを特徴とする。
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】削除
【補正の内容】
【手続補正３１】
【補正対象書類名】明細書
【補正対象項目名】００５０
【補正方法】削除
【補正の内容】
【手続補正３２】
【補正対象書類名】明細書
【補正対象項目名】００５１
【補正方法】削除
【補正の内容】
【手続補正３３】
【補正対象書類名】明細書
【補正対象項目名】００５２
【補正方法】削除
【補正の内容】
【手続補正３４】
【補正対象書類名】明細書
【補正対象項目名】００５３
【補正方法】削除
【補正の内容】
【手続補正３５】
【補正対象書類名】明細書
【補正対象項目名】００５４
【補正方法】削除
【補正の内容】
【手続補正３６】
【補正対象書類名】明細書
【補正対象項目名】００５５
【補正方法】削除
【補正の内容】
【手続補正３７】
【補正対象書類名】明細書
【補正対象項目名】００５６
【補正方法】削除
【補正の内容】
【手続補正３８】
【補正対象書類名】明細書
【補正対象項目名】００５７
【補正方法】削除
【補正の内容】
【手続補正３９】
【補正対象書類名】明細書
【補正対象項目名】００５８
【補正方法】削除
【補正の内容】
【手続補正４０】
【補正対象書類名】明細書
【補正対象項目名】００５９
【補正方法】削除
【補正の内容】
【手続補正４１】
【補正対象書類名】明細書
【補正対象項目名】００６０
【補正方法】削除
【補正の内容】
【手続補正４２】
【補正対象書類名】明細書
【補正対象項目名】００６１
【補正方法】削除
【補正の内容】
【手続補正４３】
【補正対象書類名】明細書
【補正対象項目名】００６２
【補正方法】削除
【補正の内容】
【手続補正４４】
【補正対象書類名】明細書
【補正対象項目名】００６３
【補正方法】削除
【補正の内容】
【手続補正４５】
【補正対象書類名】明細書
【補正対象項目名】００６５
【補正方法】変更
【補正の内容】
【００６５】
〔実施の形態１〕
本発明に関する実施形態の一例を下記に示す。
実施の形態１における画像処理システムの全体構成図の一例を図１に示す。
本発明の画像処理システムは、画像印刷装置、画像入力装置、Ｗｅｂサーバ装置、及びクライアントPCがＷｅｂ等のネットワークを介して接続されている。
画像処理システム全体の処理手順概要の一例に関して以下に記載する。
始めにユーザはクライアントPCから手書き画像情報を登録表示したいＷｅｂページを開く。ユーザはＷｅｂページの編集を行い、手書き画像情報を表示するための空白領域を作成する。
次にユーザは編集したＷｅｂページを画像印刷装置から印刷し、印刷した用紙の空白領域にＷｅｂページへ登録表示したい画像情報を手書きして、手書きした用紙を画像入力機器に入力させる。画像入力装置は入力した画像情報をＷｅｂサーバ装置へ送信し、Ｗｅｂサーバ装置はその画像情報をＷｅｂページの空白領域へ表示されるように登録する。以上が画像処理システム全体の処理手順の概要である。
【手続補正４６】
【補正対象書類名】明細書
【補正対象項目名】００８１
【補正方法】変更
【補正の内容】
【００８１】
〔実施の形態２〕
本発明に関する実施形態の一例を下記に示す。
実施の形態２では、ユーザの手書き画像情報がＷｅｂページに登録されるまでＷｅｂページの空白領域に印刷したユーザ名情報を表示することで、手書き画像情報を登録する予定のユーザ名情報をＷｅｂページの閲覧者へ通知するＷｅｂサーバ装置の一例を示す。
実施の形態２における画像処理システムの全体図、画像印刷装置、画像入力装置は実施の形態１と同様である。
実施の形態２におけるＷｅｂサーバ装置の機能図を図１８に示す。
図１８の空白領域作成手段・空白領域サイズ決定手段・画像情報送信手段は実施の形態１と同様である。図１８のユーザ情報表示手段は画像印刷装置へ印刷指示を行ってＷｅｂページを印刷したユーザのユーザ情報をＷｅｂページの空白領域に表示する手段である。
ユーザ情報表示手段ではユーザが印刷指示した際にユーザが使用しているクライアントPCからユーザ名情報を取得し、図１９に示すＷｅｂページ編集画面のように空白領域を作成する文字列#paper( )内にユーザ名情報#paper( username = Tanaka Taro )を保存する。Ｗｅｂサーバ装置はユーザ名情報を参照して図２０のようにＷｅｂページの空白領域内にユーザ名情報を表示する。空白領域に表示する情報はユーザ名以外にも印刷した際の日時情報や印刷場所情報などを表示しても良い。
【手続補正４７】
【補正対象書類名】明細書
【補正対象項目名】００８３
【補正方法】変更
【補正の内容】
【００８３】
〔実施の形態３〕
下記に本発明に関する実施形態の一例を下記に示す。
実施の形態３では、手書き画像情報をＷｅｂページへ登録する期日を設定し、その期日情報をメール等で通知することで、ユーザへ手書き画像情報を登録する作業を忘れることなく実行させるＷｅｂサーバ装置の一例を示す。
実施の形態３における画像処理システムの全体図、画像印刷装置、画像入力装置は実施の形態１と同様である。
実施の形態３におけるＷｅｂサーバ装置の機能図を図２５に示す。
図２３の空白領域作成手段・空白領域サイズ決定手段・画像情報送信手段は実施の形態１と同様である。図２３のユーザ情報設定手段はＷｅｂページの空白領域に手書き画像情報を登録するユーザ情報を設定する手段である。期日設定手段は手書き画像をＷｅｂページに登録する期日を設定する手段である。ユーザ情報と期日情報を設定するユーザはＷｅｂページの編集画面を開き、図２４のように空白領域を作成する文字列#paper( )内にユーザ情報と期日情報を#paper(username = Tanaka Taro, deadline = 2006/05/26 )入力して保存する。
以上でユーザ情報と期日情報の設定処理が終了する。
図２５のように設定処理の終了後にＷｅｂページの空白領域へ設定したユーザ情報と期日情報とを表示しても良い。
図２３の期日通知手段２５はユーザ情報設定手段２５４で設定されたユーザへ期日設定手段２５５で設定された期日情報を通知する手段である。期日通知手段２５６では設定された期日情報の期日までにＷｅｂページの空白領域に手書き画像情報が登録されていない場合にも、電子メール等の通信手段を利用して設定されたユーザへ手書き画像情報の登録処理を促す情報を通知しても良い。２５１は、空白領域作成手段、２５２は、空白領域サイズ指定手段、２５３は、画像情報送信手段をそれぞれ示す。
【手続補正４８】
【補正対象書類名】明細書
【補正対象項目名】００９５
【補正方法】変更
【補正の内容】
【００９５】
本発明は、Ｗｅｂページのコンテンツ作成システム、ワークフローシステム、アイデア発想支援システム、会議支援システム、及びアンケート調査システムに利用できる。